(57)【要約】【課題】構造の簡略化とコンパクト化を可能とし、廃棄物を円滑に且つ効率的に連続選別処理して行うことを可能にした廃棄物選別装置と同装置を搭載した自走式車両を提供する。【解決手段】廃棄物選別装置（１）  であって、前後に廃材の投入口（５）  及び排出口（６）  を有する筒状の回転ドラム（４）  と、回転ドラム（４）  の内周面に回転軸線に対して所要の角度をもって斜めに延在し、投入口（５）  と排出口（６）  とに接続する１枚以上の廃材送りフィン（１２）と、排出口（６）  に廃材送りフィン（１２）により送られてくる廃材を収集する１以上の収集用ホッパー（１３）と、回転ドラム（４）  の底部に貯水され、投入口（５）  を介して投入された廃棄物のうち軽量物を水面上に浮遊させる貯水部（７）  とを備え、各廃材送りフィン（１２）に沿って回転ドラム（４）  の底部に落下する重量物を収集用ホッパー（１３）内に収集し、回転ドラム（４）  の回転に伴い一方向に移送することによって速やかに且つ精度よく回収する。【選択図】図１
2004167429.tif 000002
【特許請求の範囲】
【請求項１】
建設廃材等の廃棄物選別装置（１）  であって、
前後に廃材の投入口（５）  及び排出口（６）  を有する筒状の回転ドラム（４）  と、
回転ドラム（４）  の内周面に回転軸線に対して所要の角度をもって斜めに延在し、前記投入口（５）  と排出口（６）  とを連結する１枚以上の廃材送りフィン（１２）と、
前記排出口（６）  に前記廃材送りフィン（１２）により送られてくる廃材を収集する１以上の収集用ホッパー（１３）と、前記回転ドラム（４）  の底部に貯水部（７）  とを備えてなることを特徴とする廃棄物選別装置。
【請求項２】
前記回転ドラム（４）  の内周面の同一周方向に、１以上の前記収集用ホッパー（１３）が配されてなり、
前記廃材送りフィン（１２）が、投入口側に配された第１フィン（１２ａ）  と、排出口側に配された第２フィン（１２ｂ）  とからなり、
第１及び第２フィン（１２ａ，１２ｂ）  は、互いに逆方向に斜めに延在し、その交差部に前記収集用ホッパー（１３）がそれぞれ配されてなる、
ことを特徴とする請求項１記載の廃棄物選別装置。
【請求項３】
１以上の前記廃材送りフィン（１２）が前記回転ドラム（４）  の内周面に沿って螺旋状に配されてなり、
前記収集用ホッパー（１３）が各廃材送りフィン（１２）の排出側端部に接続されてなる、
ことを特徴とする請求項１記載の廃棄物選別装置。
【請求項４】
前記貯水部（７）  の水面よりも上方に、前記廃材の投入口（５）  から排出口（６）  に向けて延在する搬出ベルト（１４）が配されてなることを特徴とする請求項２記載の廃棄物選別装置。
【請求項５】
搬出手段が、前記収集用ホッパー（１３）の回転軌跡上における廃材排出位置に配されてなることを特徴とする請求項３記載の廃棄物選別装置。
【請求項６】
廃棄物投入側が水面下に配され、廃棄物排出側が水面よりも上方に露呈して前記投入口（５）  から排出口（６）  にわたって延在する軽量物搬出ベルト（１５）を有してなることを特徴とする請求項２又は３記載の廃棄物選別装置。
【請求項７】
前記回転ドラム（４）  の廃材投入口近傍に、前記貯水部（７）  の水面に向けて送風する送風機が配されてなることを特徴とする請求項１記載の廃棄物選別装置。
【請求項８】
請求項１又は７記載の廃棄物選別装置（１）  が搭載されてなることを特徴とする自走式車両。
【発明の詳細な説明】
【０００１】
【発明の属する技術分野】
本発明は、建設廃材等の廃棄物選別装置と同装置を搭載した自走式車両に係わり、特に、軽量物と重量物を連続選別する廃棄物選別装置と同装置を搭載した自走式車両に関する。
【０００２】
【従来の技術】
木材家屋、コンクリート家屋、ビル、橋梁、その他もろもろの建設物の解体時或いは建設時に排出される建設混合廃棄物には、コンクリート屑、金属、木材、紙、プラスチック、繊維製品、土砂類等の多種の材料が混合しており、これらは廃棄物の減量化或いは省資源化の観点から最終的に廃棄処理するものと再生利用するものに選別し、廃棄処分するものについては、更に焼却或いは埋め立て処分用に選別処理される。
【０００３】
かかる廃棄物の選別装置の一例が、例えば特許第３０５１７２８号公報に開示されている。同公報に開示された廃棄物選別装置は、水タンクを有する支持フレームを介して水平に長い円筒状の回転ドラムが水平軸線回りに回転自在に支承されている。回転ドラムの内周面には水平軸線回りに所定の間隔をもって複数枚の掬い羽根が軸方向に延設されている。回転ドラムの両側部には水平軸線上に中心を有する小径の入口と大径の出口とが形成されており、その入口と出口との間の底部が貯水部とされている。同貯水部内には噴流発生部を介して前記水タンク内の水が連続的に循環供給され、前記入口と前記出口との径差による落差によって前記貯水部に水の流れを発生するようにしている。同貯水部内のオーバーフロー水は、前記出口を介して前記水タンク内へと回収される。
【０００４】
前記入口に臨んで配された搬送コンベアを介して貯水部内に木片、瓦片、ガラス片、金属小片、セメント小片等の解体破砕物を投入すると、投入された解体破砕物のうち水浮遊性の木片等は前記貯水部の水面上に浮遊し、前記入口から前記出口へ流れる噴出流に乗せて回転ドラムの外部へと分別回収される。一方、瓦片、ガラス片、金属小片、セメント小片等の水に沈む解体破砕物は、回転ドラムの回動に伴い前記掬い羽根により順次掬い上げられる。掬い上げられた解体破砕物は、前記貯水部の上方空間に配されて前記出口を介して外部へ延在する排出コンベア上に落下して移載され、回転ドラムの外部へと排出される。
【０００５】
この従来の廃棄物選別装置は、前記噴流発生部を備えることにより、回転ドラムの回転によって発生する貯水部の水面部分の水流が大きく混乱する水流混乱を噴出流によって是正し、前記出口に向かう強い流れを確保している。このため、前記貯水部内に浮遊した木片等を円滑に且つ迅速に分別回収される。木質物と木質物以外の廃棄物とを連続的に且つ的確に分別回収することができ、解体破砕物による産業廃棄物の発生容積を少量化すると共に、分別回収後の有効利用や廃棄処分もしやすくなるとしている。
【０００６】
【特許文献１】
特許第３０５１７２８号公報
【０００７】
【発明が解決しようとする課題】
上記特許文献１に開示された廃棄物選別装置は、上述したような作用効果を得るために、装置の稼働時には、常時、噴流発生部を介して水タンク内の水を貯水部に連続供給させ、同貯水部内に強い噴出流を発生させる必要がある。このような構造では、回転ドラムの設置空間に加えて前記水タンクの設置空間が必要となり、それらの形状や寸法が設置場所の大きさによって制約を受けやすくなるという問題点を有している。
【０００８】
また、前記噴流発生部の駆動機構、その構成部材や排水構造を設けることが必要となり、構造が複雑化することにより設備費が高くなるばかりでなく、構造が複雑化することと相挨って装置全体の小型化には限界がある。また、前記水タンクや噴流発生部の駆動機構の内外に液密性を長期間にわたって確保する必要があり、その品質保持のための整備点検、保守及び交換等の作業に手間がかかり、しかも維持管理費等が増大するという諸々の課題が残っている。
【０００９】
更に、前記回転ドラムの入口に臨む搬送コンベアを介して貯水部内に解体破砕物を投入するにあたり、多様な解体破砕物を同時に一括して連続投入している。前記貯水部内の水中に沈み込もうとする解体破砕物（重量物）は、貯水部内に発生する強い噴出流によって投入側から排出側にわたり散乱しながら落下するか、或いは貯水部の底部の一部に山積み状態に沈み込むことになり、その塊を前記回転ドラムの掬い羽根によって掬い上げなければならない。
【００１０】
しかしながら、先位の掬い羽根の上端から次位の掬い羽根にこぼれ落ち、これを次位の掬い羽根にて掬い上げたり、或いは回転ドラムの水平軸線方向に延びる掬い面の一部を使用して掬い上げることとなり、一回転当たりの掬い羽根の廃材掬い上げ量が減り、掬い羽根を有効に使用することはできない。また、掬い羽根の一部に作用する力が過大となり、掬い羽根の寿命を短くしてしまう。かかる課題を解消すべく選別処理に投入される解体破砕物の投入量や回転数を逐次変えると、選別性能が低下しやすく、その管理が煩雑化する。
【００１１】
ところで、建設・土木機械及び運搬機械等の各種の作業用車両は、走行体上に装設された車体フレーム上にポンプ、エンジン及びその付帯部品等の機器類を密集して搭載している。仮に、この種の作業用車両に上記特許文献１に開示された廃棄物選別装置をそのままの形態で適用しようとすると、水タンクや噴流発生部の駆動機構を収容する十分な設置空間を確保することは困難である。従って、車体内部の構造が複雑化するだけでなく水タンクを所定の高さに設置することができず、水タンクの搭載スペースに制約を生じるという問題点などを有している。しかも、車体の小型軽量化を図ることもできず、その組立ても極めて複雑であって、製品コストの増加につながる。
【００１２】
本発明は、かかる従来の課題を解消すべくなされたものであり、その具体的な目的は、構造の簡略化とコンパクト化を可能とし、廃棄物を円滑に且つ効率的に連続選別処理して行うことを可能にした廃棄物選別装置と同装置を搭載した自走式車両を提供することにある。
【００１３】
【課題を解決するための手段及び作用効果】
本件請求項１に係る発明は、建設廃材等の廃棄物選別装置であって、前後に廃材の投入口及び排出口を有する筒状の回転ドラムと、回転ドラムの内周面に回転軸線に対して所要の角度をもって斜めに延在し、前記投入口と排出口とを連結する１枚以上の廃材送りフィンと、前記排出口に前記廃材送りフィンにより送られてくる廃材を収集する１以上の収集用ホッパーと、前記回転ドラムの底部に貯水部とを備えてなることを特徴とする廃棄物選別装置にある。
【００１４】
かかる構成によれば、投入口を介して回転ドラムの底部に貯水された貯水部内に廃棄物を投入すると、同廃棄物は、前記貯水部の水面上に浮遊する軽量物と水面下に沈む重量物とに分別される。前記回転ドラムの内周面には、１枚以上の廃材送りフィンが回転軸線に対して所要の角度をもって斜めに延設されている。このため、前記貯水部の水面下に沈む重量物は、前記廃材送りフィン間に沿って前記回転ドラムの底部に落ちる。その重量物は、隣り合う廃材送りフィンの間を、その回転により排出側へと移送され収集用ホッパー内に収集される。同ホッパー内に収集された重量物は、前記回転ドラムの回転に伴うホッパーの回転により、その排出位置にて自重で排出部へと排出され、外部にて回収される。
【００１５】
本発明は、各廃材送りフィンに沿って回転ドラムの底部に落下する重量物を前記収集用ホッパー内に収集し、同ホッパーを前記回転ドラムの回転に伴い一方向に移送することにより排出が行われるため、重量物が速やかに且つ効率的に排出され回収される。また、従来のように回転ドラムの下部に水タンクを独立して設置することなく排除しているため、結果的に装置の設置空間を縮小化され装置全体のコンパクト化が図られる。また、構造が簡単であり、装置の品質保持のための整備点検、保守等の作業が容易であり、しかも維持管理費等が激減する。
【００１６】
請求項２に係る発明は、前記回転ドラムの内周面の同一周方向に、１以上の前記収集用ホッパーが配されてなり、前記廃材送りフィンが、投入口側に配された第１フィンと、排出口側に配された第２フィンとからなり、第１及び第２フィンは、互いに逆方向に斜めに延在し、その交差部に前記収集用ホッパーがそれぞれ配されていることを特徴としている。
【００１７】
この発明は、投入口側に配された１以上の第１フィンと排出口側に配された１以上の第２フィンとが互いに逆方向に斜めに延在して交差する交差部に、前記回転ドラムの内周面の同一周方向に配された収集用ホッパーがそれぞれ配されている。従って、上記貯水部の水面下に沈む重量物は、各フィン間に沿って収集用ホッパーに向けて誘導案内されながら前記収集用ホッパー内に順次寄せ集められて収集され、最終的に回収されることとなる。第１フィンにより移送された廃材のうち、前記収集用ホッパー内に収集されなかった廃材は、前記回転ドラムの回転に伴い第２フィンによって、同じく前記収集用ホッパーに向けて移送されて収集される。
【００１８】
このように前記廃材送りフィン及び収集用ホッパーを設置することにより、廃材を効率的に選別回収でき、選別精度が確保される。しかも、回転ドラムの回転駆動力だけの比較的に少ない動力で安定して稼働することができる。更に、前記廃材送りフィン及び収集用ホッパーの設置位置や設定数等を変えれば、廃材の収集性能を変えることができるため、廃材の構成物が変化する場合があっても容易に対応する設計が可能となる。
【００１９】
請求項３に係る発明は、１以上の前記廃材送りフィンが前記回転ドラムの内周面に沿って螺旋状に配されてなり、前記収集用ホッパーが各廃材送りフィンの排出側端部に接続されていることを特徴としている。
【００２０】
この発明は、１以上の廃材送りフィンが、回転ドラムの内周面に沿って一条又は多条の螺旋状に配されている。前記廃材送りフィンが一条ねじのように延設される場合は、各廃材送りフィンに共通する単一の収集用ホッパーを廃材送りフィンの排出側端部に備えることができる。前記廃材送りフィンが多条ねじ状に延設される場合は、各廃材送りフィンの排出側端部に前記回転ドラムの内周面の同一周方向にわたり１以上の収集用ホッパーが配される。
【００２１】
上記貯水部の水面下に沈む重量物は、各廃材送りフィン間に沿って誘導案内されながら回転ドラムの底部に落下する。前記貯水部内に滞留する重量物は、前記回転ドラムの回転に伴い、同回転ドラムの底部に沿って各廃材送りフィンにより排出側に向けて誘導案内され、各廃材送りフィンの排出側端部に配された収集用ホッパー内に順次移送して収集され、回収されることとなる。
【００２２】
従って、前記回転ドラムの回転に伴う廃材送りフィンの回転により、前記重量物を廃材投入側から排出側にわたり一方向に移送することにより廃材の排出が行われる。このため、各廃材送りフィンを有効に使用することができると共に、前記回転ドラムを比較的に少ない動力で稼働させることができるようになり、一サイクル当たりの稼働率が高い装置が得られる。
【００２３】
請求項４に係る発明は、前記貯水部の水面よりも上方に、前記廃材の投入口から排出口に向けて延在する搬出ベルトが配されていることを特徴としている。
上記請求項２に係る発明のごとく各廃材送りフィンに対応する収集用ホッパーに順次収集されて回収された重量物は、前記回転ドラムの回転に伴い前記貯水部の水面よりも上方にあって廃材の前記投入口から排出口に向けて延在する搬出ベルト上に自重で次々に落下して、同搬出ベルトの端部に搬送され、同端部から前記排出口を介して前記回転ドラムの外部へと排出される。前記搬出ベルトを前記廃材送りフィン及び収集用ホッパーに独立して設置することなく同一装置内に備えることができるため、装置全体が大型化することはない。
【００２４】
請求項５に係る発明は、前記請求項３に係る発明にあって、前記収集用ホッパーの回転軌跡上における廃材排出位置に搬出手段を配していることを特徴としている。
上記請求項３に係る発明のごとく収集用ホッパーに収集された重量物は、そのホッパーの回転軌跡上における廃材排出位置に配された搬出手段に自重で落下して、同搬出手段を介して回転ドラムの外部へと排出される。
【００２５】
従って、前記回転ドラムの内部に、上記廃材送りフィンとは独立した格別な搬出手段を備えることなく排除することができるため、コンパクトな装置が得られる。また、前記回転ドラムの廃材排出口側に収集用ホッパーや重量物搬出手段が集約化して配されるため、作業員が装置の外部で目視により稼働状況などの確認を簡単に行うことができるようになり、それらの整備点検、保守等の作業が効率よく容易になされる。
【００２６】
請求項６に係る発明は、廃棄物投入側が水面下に配され、廃棄物排出側が水面よりも上方に露呈して前記投入口から排出口にわたって延在する軽量物搬出ベルトを有していることを特徴としている。
前記投入口を介して前記貯水部内に投入された廃棄物は、先ず、貯水部の水面上に浮遊する軽量物と水面下に沈む重量物とに分別されるが、水面上に浮遊する軽量物は、軽量物搬出ベルトが水面下から水面上に移行する部分で同ベルトにより捕捉され、重量物と区別されて前記搬出ベルト上を排出側端部へと搬送されたのち、同端部から前記排出口を介して前記回転ドラムの外部へと排出される。従来のように回転ドラム内の貯水部に水タンクからの噴出流を強制的に循環供給することにより軽量物を選別する装置と比べると、前記搬出ベルトは簡単な構造であり、前記廃材送りフィン及び収集用ホッパーと干渉することなく配することができ、結果的に装置全体のコンパクト化を図ることができる。
【００２７】
請求項７に係る発明は、上記廃棄物選別装置にあって、前記回転ドラムの廃材投入口近傍に、前記貯水部の水面に向けて送風する送風機が配されていることを特徴としている。
送風機からの空気は、前記貯水部の水面上に浮遊する軽量物に向けて噴射される。その軽量物は、重量物と区別されて、請求項６に係る発明のごとき軽量物搬出ベルト上に吹き飛ばされ移載される。軽量物は軽量物搬出ベルトによって回転ドラムの外部へと搬送される。
【００２８】
かかる構成により、上記軽量物搬出ベルトと送風機とを独立して設置することなく、同一装置内に備えることができるため、結果的に装置のコンパクト化を図ることができる。送風機の設定風量は、選別する軽量物と重量物の種類や重量により適正に調整することにより、選別性能を適宜に変えることができる。
【００２９】
請求項８に係る発明は、請求項１又は７記載の廃棄物選別装置が搭載されていることを特徴とする自走式車両にある。
この発明は、廃棄物選別装置を備えた建設・土木機械等の各種の自走式車両に適用されても、上記諸機能が達成される。コンパクトな廃棄物選別装置により、部品点数を増やすことなく簡単な構造であり、且つ動力源も小型で済み、車高を高くすることなく設置位置も自由に設定することができるようになるため、上記特許文献１の廃棄物選別装置とは異なり、車両本体への搭載が可能となる。その結果、廃棄物の選別を任意の場所で選別作業を行うことができ、非常に便利である。
【００３０】
【発明の実施の形態】
以下、本発明の好適な実施の形態を添付図面に基づいて具体的に説明する。図１〜図４は本発明の代表的な第１の実施形態である建設混合廃棄物の選別装置を示している。図１は同選別装置を概略的に示す構造説明図、図２は同選別装置の投入側を概略的に示す構造説明図、図３は同選別装置の排出側を概略的に示す構造説明図、図４は同選別装置に適用される回転ドラムの要部を概略的に示す部分断面斜視図である。なお、本実施形態では建設混合廃棄物から軽量物と重量物とを連続選別する廃棄物選別装置を例に挙げて説明するが、本発明はこれに限定されるものではなく、例えばその他の産業廃棄物、或いは都市ごみの選別処理装置などにも適用できる。
【００３１】
建設物の解体時或いは建設時に排出されるコンクリート、金属、木材、紙、プラスチック、土砂類等の多種の材料が混合した建設混合廃棄物は、予め寸法の大きい構成物を粗選別して取り除き、その粗選別後の廃棄物を所要の大きさに破砕したのち、図示例による選別装置１に供給する。
【００３２】
これらの図において、選別装置１は、多角形状をなす支持枠体２の前後に左右両側一対の支承ローラ３，…，３を介して円筒状の回転ドラム４を円筒中心を水平にして回転自在に支承している。前記支持枠体２には、回転ドラム４を駆動回転する油圧モータや駆動チェーン等を介して低速回転する図示せぬ回転駆動手段が備えられている。この回転駆動手段の回転数は、選別する軽量物と重量物の種類や重量により決定される。廃棄物の処理量が多い場合であっても、回転ドラム４の回転数を変えることにより容易に対応でき、選別装置１が大型化することはない。なお、本発明にあっては、回転駆動手段として従来から広く知られた周知のものを使用することができることは勿論である。
【００３３】
図示例による回転ドラム４の前後両側部には、廃材の投入口５と排出口６とがそれぞれ設けられている。これらの投入口５及び排出口６は、図１〜図３に示すように、回転ドラム４の水平軸線を中心として同一内径を有する円形状をなしている。回転ドラム４の底部は、前記投入口５を介して投入される建設混合廃棄物のうち軽量物を水面Ｗ上に浮遊させる貯水部７とされている。前記投入口５を介して前記貯水部７内に廃棄物を投入すると、その廃棄物は貯水部７の水面Ｗ上に浮遊する軽量物と水面下に沈む重量物とに分別される。なお、投入口５及び排出口６の形状や設置位置などは図示例に限定されるものではない。
【００３４】
前記投入口５の外側には、多角形状のホッパー支持枠部材２ａが立設されている。同ホッパー支持枠部材２ａには、図示せぬ送入コンベアを介して送入された分別回収すべき廃材を前記貯水部７内に投入する投入ホッパー８が支承されている。同投入ホッパー８の下部には吊下げスプリング９を介して供給フィーダ１０が垂下支持されている。
【００３５】
前記回転ドラム４の内部には、一端部が前記ホッパー支持枠部材２ａに垂下支持され、他端部が前記貯水部７の上方空間にあって前記回転ドラム４の投入口５及び排出口６を介して廃材排出側に向けて上方に傾斜して延びる２本のコンベア支持バー２ｂ，２ｂが延設されている。同コンベア支持バー２ｂの廃材投入側寄りには、廃材排出側に向けて幅狭に形成された環状の略裁頭円錐形の廃材収集誘導部材１１が固設されている。前記供給フィーダ１０の先端部は前記収集誘導部材１１に向けられている。前記排出口６の外側には、左右両側一対の支柱２ｃ，２ｃが立設されている。各支柱２ｃには、前記コンベア支持バー２ｂの露呈端部が取り付けられている。
【００３６】
本発明の最も特徴部とするところは、回転ドラム４の内周面に投入口５と排出口６とを連結する１枚以上の廃材送りフィン１２，…，１２を回転軸線に対して所要の角度をもって斜めに延設することと、前記廃材送りフィン１２により送られてくる廃材を収集する１以上の収集用ホッパー１３，…，１３を排出部に設けていることにある。前記貯水部７内に廃棄物を投入したとき、隣り合う廃材送りフィン１２の間に沿って回転ドラム４の底部に落下する重量物を前記収集用ホッパー１３内に収集し、回転ドラム４の回転に伴い一方向に移送することにより廃材の排出が行われる。
【００３７】
図４は回転ドラム４の投入口側からみた内部を概略的に示している。回転ドラム４の内周面の中央部には、同一周方向にわたり所要の間隔をもって複数個の廃材収集用ホッパー１３，…，１３が固設されている。図示例では、前記ホッパー１３は都合８個であり、周方向に４５°の位相差をもって配されている。前記ホッパー１３は、回転ドラム４の内周面に対して回転方向に上斜して立設された四角形状の第１板部材１３ａと、同第１板部材１３ａの両端縁に回転方向と同一方向に向けて延びる前後一対の三角形状の第２板部材１３ｂ，１３ｂとにより構成されており、外郭形状がコ字状をなしている。各板部材１３ａ，１３ｂは多数個の篩目を有している。
【００３８】
図示例による廃材送りフィン１２は、回転ドラム４の内周面の投入口側（図４の手前）に向けて延設された都合８本の第１フィン１２ａと、回転ドラム４の内周面の排出口側に向けて延設された都合８本の第２フィン１２ｂとにより構成されている。各フィン１２ａ，１２ｂは、それぞれ回転ドラム４の投入口側及び排出口側から中央内周面に向けて漸次幅狭となるように互いに逆方向に向けて斜めに延びており、前記ホッパー１３の第２板部材１３ｂに連結されている。図示例では、各フィン１２ａ，１２ｂの高さは前記ホッパー１３よりも低く設定されている。本実施形態にあっては、各フィン１２ａ，１２ｂは、回転ドラム４の内周面に回転軸線に対して２５°の斜角をもってそれぞれ配されている。隣り合うフィン１２ａ，１２ｂの間は、回転ドラム４の回転に伴い廃材を前記ホッパー１３に向けて誘導案内する移送路とされている。
【００３９】
前記貯水部７の水面下に沈む重量物は、各フィン１２ａ，１２ｂ間の移送路に沿って誘導案内されながら、回転ドラム４の底部に落下する。その重量物は、各フィン１２ａ，１２ｂの交差部に配されたホッパー１３内に順次寄せ集められて収集される。同ホッパー１３内に収集された重量物は、回転ドラム４の回転に伴い重量物搬出ベルト１４を介して廃材の排出側に向けて一方向に速やかに移送される。
【００４０】
この重量物搬出ベルト１４は、図１に示すように上記コンベア支持バー２ｂの上部に設置されている。同搬出ベルト１４の先端部は、前記排出口６に露呈して配されている。同搬出ベルト１４を同一装置内に備えることにより、装置全体が大型化することなく小型化が図られている。前記ホッパー１３により収集された重量物は、前記回転ドラム４の回動最上端位置に達すると前記搬出ベルト１４上に落下して運ばれ、同搬出ベルト１４の先端に達すると、同端の下方外部に配された図示せぬ搬送手段に落下して最終的に回収される。なお、例えば前記第１フィン１２ａにより前記収集用ホッパー１３内に収集されなかった重量物は、前記回転ドラム４の回転に伴い前記第２フィン１２ｂによって収集用ホッパー１３に向けて移送されて収集される。
【００４１】
上記第１実施形態のように廃材送りフィン１２及び収集用ホッパー１３を設置することにより、廃材を効率的に選別回収でき、選別精度を確保することができるようになり、しかも回転ドラム４の回転駆動力だけの比較的に少ない動力で安定して稼働することができる。なお、前記廃材送りフィン１２や収集用ホッパー１３の設置位置や設定数等を変えれば、廃材の収集性能を変えることができる。このため、廃材の構成物が変化する場合があっても、設計にあたり容易に対応できる。また、廃材送りフィン１２及び収集用ホッパー１３の形態、設置位置、設置数等は図示例に限定されるものではない。
【００４２】
更に、本実施形態では、前記コンベア支持バー２ｂの下部には、ベルト支持部材１６を介して軽量物搬出ベルト１５が垂下支持されている。同軽量物搬出ベルト１５の廃材投入側は、前記廃材収集誘導部材１１に隣接して前記貯水部７の水面下に配されており、その廃材排出側が水面よりも上方に露呈して前記投入口５から排出口６にわたって延在している。前記軽量物搬出ベルト１５の両端部には、前記ベルト支持部材１６に固設された一対のガイド部材１７，１７が前記廃材収集誘導部材１１に隣接して設けられている。
【００４３】
更に、本発明にあっては必ずしも限定されるものではないが、上記供給フィーダ１０の下部には送風機１９が備えられている。同送風機１９には、図示せぬ空気噴射ノズルが連結されている。同空気噴射ノズルは前方の水面上に向けられている。送風機１９の設定風量は、選別する軽量物と重量物の種類や重量により適正に調整すればよい。送風機１９からの空気は、空気噴射ノズルを介して前記貯水部７の水面上に浮遊する軽量物に向けて噴射される。その軽量物は、重量物と区別されて、前記軽量物搬出ベルト１５上に吹き飛ばされ移載される。軽量物は軽量物搬出ベルト１５によって運ばれ、同搬出ベルト１５の先端に達すると、同端の下方の外部に配された図示せぬ搬送手段に自重で落下して回収される。
【００４４】
かかる構成により、前記搬出ベルト１５と送風機１９とを独立して設置することなく同一装置内に備えることができ、結果的に装置のコンパクト化を図ることができる。送風機１９の設定風量を変更することにより、選別性能を適宜に変えることができ、軽量物の構成物が変化する場合であっても、容易に対応が可能となる。
【００４５】
上記のごとく構成された搬出ベルト１４，１５は簡単な構造であり、前記廃材送りフィン１２や収集用ホッパー１３と干渉することなく配することができる。このため、装置全体がコンパクト化できる。なお、搬出ベルト１４，１５は、従来から広く知られた一般的な回転駆動手段によって低速回転することができる。
【００４６】
次に、図５〜図８を参照しながら、本発明に係る廃棄物選別装置の第２の実施形態を説明する。図５は同廃棄物選別装置を概略的に示し、図６は同選別装置の投入側を概略的に示し、図７は同選別装置の排出側を概略的に示し、図８は同選別装置に適用される回転ドラムの排出口側からみた要部を概略的に示している。なお、これらの図において、上記第１実施形態と実質的に同じ部材には同一の部材名と符号を付している。
【００４７】
この第２の実施形態において上記第１の実施形態と大きく異なるところは、回転ドラム４の内周面に沿って廃材投入側から排出側に向けて螺旋状に延びる廃材送りフィン１２を有している点と、重量物搬出ベルト１４を排除している点にある。
【００４８】
これらの図において、回転ドラム４の内周面には、廃材の投入口５から排出口６にわたり多条螺旋状に延びる複数枚の廃材送りフィン１２，…，１２が同一方向に斜めに延設されている。各廃材送りフィン１２間は、前記回転ドラム４の回転に伴い廃材を排出口６に向けて誘導案内しながら移動させる螺旋状の移送路とされている。各移送路の終端部（図８の手前）には、同一周方向に所要の間隔をもって複数個の廃材収集用ホッパー１３，…，１３が固設されている。図示例では、ホッパー１３は都合６個であり、周方向に６０°の位相差をもって配されている。同ホッパー１３は、上記第１実施形態と同様に多数個の篩目を有する三角形状の篩板部材により構成されている。
【００４９】
多角形状をなす支持枠体２の前後両端に立設された門型形状の支持部材２ｄ，２ｄには、貯水部７の上方空間にあって回転ドラム４の投入口５及び排出口６を介して延びる２本のバー部材２ｅ，２ｅが懸架支持されている。同バー部材２ｅの廃材投入側には、吊下げスプリング９を介して供給フィーダ１０が垂下支持されている。同供給フィーダ１０の先端部は、廃材収集誘導部材１１に向けられている。前記バー部材２ｅの廃材排出側には、前記排出口６を介して下斜して延在する廃材排出フィーダ１８が固設されている。同排出フィーダ１８は、図示例に限定されるものではなく、例えばコンベアなどの他の排出手段であってもよいことは勿論である。
【００５０】
前記貯水部７の水面下に沈む重量物は、各廃材送りフィン１２間に沿って誘導案内されながら、回転ドラム４の底部に落ちる。前記貯水部７内に滞留する重量物は、回転ドラム４の回転に伴い、同回転ドラム４の底部に沿って各廃材送りフィン１２により廃材排出側に向けて運ばれ、各ホッパー１３により収集される。その重量物は、回転ドラム４の回動最上端位置に達すると、自重で前記廃材排出フィーダ１８に移載される。同排出フィーダ１８の先端に達すると、同端の下方に配された図示せぬ搬送手段に落下して最終的に回収される。
【００５１】
かかる構成を備えることにより、上記第１実施形態のように各廃材送りフィン１２の端部に対応する収集用ホッパー１３ごとに回収された重量物を搬出ベルト１４を介して回転ドラム４の外部へ排出する必要がなくなる。従って、直接、前記排出口６を介して前記廃材排出フィーダ１８上に排出することができる。前記搬出ベルト１４を排除することができるため、コンパクトな選別装置１が得られる。回転ドラム４の廃材投入側から排出側にわたり廃材送りフィン１２を使って廃材を移送できるため、各廃材送りフィン１２を合理的に使用することができると共に、回転ドラム４を比較的に少ない動力で稼働させることができるようになり、一サイクル当たりの稼働率が高くなる。
【００５２】
この第２実施形態では、回転ドラム４の内周面に多条螺旋状に延びる廃材送りフィン１２を配しているが、本発明はこれに限定されるものではなく、例えば廃材送りフィン１２は、回転ドラム４の内周面に沿って１条の螺旋状に形成されてもよい。この場合には、廃材送りフィン１２間は、回転ドラム４の回転に伴い廃材を排出側に向けて移動させる共通の螺旋状移送路とされ、その移送路の終端部に単一のホッパー１３を固設する。
【００５３】
図９は、本発明の廃棄物選別装置が搭載された走行式車両の一例を模式的に示している。なお、同図において、上記各実施形態と実質的に同じ部材には同一の部材名と符号を付している。同図において、走行式車両２０の履帯式或いは車輪式の走行体２１に垂直軸線回りに旋回自在に装着された旋回支持部２２を介して旋回台２３が旋回可能に設置されている。同旋回台２３には廃棄物選別装置１が載置され、同旋回台２３の前方片側部はキャブ２４を備えている。同キャブ２４の周辺部には図示せぬ操作作レバーやスイッチ類が配設されている。
【００５４】
コンパクトな廃棄物選別装置１を建設・土木機械等の各種の走行式車両に備えれば、動力源も小型で済み、車高を高くすることなく設置位置も自由に設定することができるようになる。コンパクトな廃棄物選別装置１により部品点数を増やすことなく簡単な構造であり、車体内部の空間が有効に利用できる。こうして、廃棄物の選別を任意の場所で選別作業を行うことができる。
【００５５】
以上の説明からも明らかなように、上記各実施形態に係る廃棄物選別装置１は、各廃材送りフィン１２に沿って回転ドラム４の底部に落下する重量物を各廃材送りフィン１２の端部に配された収集用ホッパー１３内に収集し、前記回転ドラム４の回転に伴い一方向に移送することにより排出が合理的に行われ、重量物が速やかに且つ精度よく排出され回収される。また、従来のように回転ドラムの下部に水タンクを独立して設置することなく排除しているため、結果的に装置の設置空間が縮小化して装置全体のコンパクト化が図られる。また、構造が簡単であり、装置の品質保持のための整備点検、保守等の作業が容易であり、しかも維持管理費等が低減する。なお、本発明は上記各実施形態に限定されるものではなく、それらの実施形態から当業者が容易に変更可能な技術的な範囲をも当然に包含するものである。
【図面の簡単な説明】
【図１】本発明の代表的な第１の実施形態である廃棄物選別装置を概略的に示す構造説明図である。
【図２】同選別装置の投入側を概略的に示す構造説明図である。
【図３】同選別装置の排出側を概略的に示す構造説明図である。
【図４】同選別装置に適用される回転ドラムの要部を概略的に示す部分断面斜視図である。
【図５】本発明の第２の実施形態に係る廃棄物選別装置を概略的に示す構造説明図である。
【図６】同選別装置の投入側を概略的に示す構造説明図である。
【図７】同選別装置の排出側を概略的に示す構造説明図である。
【図８】同選別装置に適用される回転ドラムの要部を概略的に示す部分断面斜視図である。
【図９】本発明の廃棄物選別装置が搭載された走行式車両の一例を模式的に示す図である。
【符号の説明】
１          廃棄物選別装置
２          支持枠体
２ａ        ホッパー支持枠部材
２ｂ        コンベア支持バー
２ｃ        支柱
２ｄ        支持部材
２ｅ        バー部材
３          支承ローラ
４          回転ドラム
５          投入口
６          排出口
７          貯水部
８          投入ホッパー
９          吊下げスプリング
１０        供給フィーダ
１１        廃材収集誘導部材
１２        廃材送りフィン
１２ａ      第１フィン
１２ｂ      第２フィン
１３        収集用ホッパー
１３ａ      第１板部材
１３ｂ      第２板部材
１４，１５  搬出ベルト
１６        ベルト支持部材
１７        ガイド部材
１８        排出フィーダ
１９        送風機
２０        走行式車両
２１        走行体
２２        旋回支持部
２３        旋回台
２４        キャブ
Ｗ          水面
【図１】
2004167429.tif 000003
【図２】
2004167429.tif 000004
【図３】
2004167429.tif 000005
【図４】
2004167429.tif 000006
【図５】
2004167429.tif 000007
【図６】
2004167429.tif 000008
【図７】
2004167429.tif 000009
【図８】
2004167429.tif 000010
【図９】
2004167429.tif 000011